(57)【要約】患者搬送装置（１０）が提供される。前記患者搬送装置（１０）は患者支持体（８）を床に対して移動する構成の患者支持体ムーバ（１２）、および患者を前記患者支持体（８）上の第一位置から前記患者支持体（８）上の第二位置へ移動させる構成の患者移動装置（１６）を含む。
2005502433.tif 000002
【特許請求の範囲】
【請求項１】
患者休息面を有する患者支持体を移動する構成の患者搬送装置であって、
ベース、床上で前記ベースを支持する複数の車輪、患者支持体に患者支持ムーバを連結するための取付け装置、および床に対して患者支持体を移動する構成の駆動機構を含む患者支持体ムーバ、および
前記患者支持体ムーバにより支持された患者移動装置を含み、
前記患者移動装置は患者を前記患者支持体の患者休息面上の第一位置から第二位置へ移動させるように構成されている、患者移動装置。
【請求項２】
前記患者支持体ムーバ上に前記患者移動装置を支持する構成の支持部材を更に含み、前記支持部材は前記患者移動装置を床上の第一高さで支持する第一長さから第一高さよりも高い床上の第二高さで前記患者移動装置を支持する第二長さへ調節自在である、請求項１の患者搬送装置。
【請求項３】
前記駆動機構は床と接触する第一位置と床から離れる第二位置との間で移動する構成の車輪を含む、請求項１の患者搬送装置。
【請求項４】
前記取付け装置は前記患者支持体に対して前記患者支持体と接触する第一位置から前記患者支持体から離れた第二位置へ移動する構成である、請求項１の患者搬送装置。
【請求項５】
患者支持体の患者休息面上の第一位置から第二位置へ患者を移動させる構成の患者搬送装置であって、
ベース、
患者を患者休息面上の第一位置から第二位置へ移動させる構成の患者移動装置、および
前記患者移動装置を前記ベース上に支持しかつ前記患者移動装置の前記ベースに対する位置調節を可能にするように位置決めされた支持部材を含む、患者搬送装置。
【請求項６】
前記支持部材は前記患者移動装置を床上の第一高さで支持する第一長さ、および第一高さよりも長い床上の第二高さで前記患者移動装置を支持する第二長さを有する、請求項５の患者搬送装置。
【請求項７】
床に対して前記ベースを移動させる構成の駆動機構、および前記ベースを前記患者支持体に連結する構成の取付け装置を更に含む、請求項５の患者搬送装置。
【請求項８】
前記支持部材は前記ベースへ枢軸回転自在に連結された第一リンク装置、および前記第一リンク装置に枢軸回転自在に連結された第二リンク装置を含み、かつ前記患者移動装置は枢軸回転自在に前記第二リンク装置に連結されている、請求項５の患者搬送装置。
【請求項９】
前記ベースに対する前記第一リンク装置の枢軸回転運動、前記第一リンク装置に対する第二リンク装置の枢軸回転運動、および前記第二リンク装置に対する前記患者移動装置の枢軸回転運動は前記ベースに対する前記患者移動装置の高さよりも低い、請求項８の患者搬送装置。
【請求項１０】
前記ベースに対する前記患者移動装置の側位置は前記ベースに対する前記患者移動装置の下降時に実質的一定である、請求項９の患者搬送装置。
【請求項１１】
前記第一リンク装置は第一長さを有し、かつ前記第二リンク装置は前記第一長さと実質的同一の第二長さを有する、請求項８の患者搬送装置。
【請求項１２】
前記ベースは第一および第二端を有し、かつ前記支持部材は前記第一端に隣接して位置決めされかつ前記第二端から離れている、請求項５の患者搬送装置。
【請求項１３】
患者を患者休息面上の第一位置から第二位置へ移動させる患者移動装置であって、
患者の下の設置されたシートに連結できるロッド、および
前記ロッドを横切る方向へ移動させるために前記ロッドに連結された患者ムーバを含み、
前記ロッドは第一長さから前記第一長さよりも長い第二長さへ調節可能である、患者移動装置。
【請求項１４】
前記ロッドは複数の格納式部材を含む、請求項１３の患者移動装置。
【請求項１５】
前記ロッドはベースポール、および前記ロッドの長さを調節するために前記ベースポールに対して摺動する伸張ポールを有する、請求項１３の患者移動装置。
【請求項１６】
前記ベースポールは前記患者ムーバのフック部を受ける寸法の一対のフック受け部を含む、請求項１５の患者移動装置。
【請求項１７】
ヘッド端およびフット端を有しかつ前記ヘッド端とフット端間に延在し相互に対して離隔した第一および第二側を有する患者支持体上で患者を側方かつ長手方向へ移動させる方法であって、
患者支持体上に支持される患者の下に設置されるシートに連結できるロッド、および前記ロッドに連結して前記ロッドを移動させかつ前記患者支持体に対して患者を移動させる患者ムーバを用意する工程、
前記患者支持体に対して長手方向に延長するように前記ロッドをシートに連結する工程、
患者を移動させるために前記患者ムーバによって前記ロッドおよびシートを側方へ移動する工程、
前記ロッドを前記シートから外す工程、
前記患者支持体に対して側方へ延長するように前記ロッドをシートへ連結する工程、および
患者を移動させるために前記患者ムーバによって前記ロッドおよびシートを長手方向へ移動する工程を含む、患者移動方法。
【請求項１８】
前記移動工程間に前記ロッドの長さを調節する工程を更に含む、請求項１７の患者移動方法。
【請求項１９】
前記患者支持体の第一および第二側の一方に隣接する第一位置と前記患者支持体のヘッド端に隣接する第二位置との間で前記ロッドを移動する工程を更に含む、請求項１７の患者移動方法。
【請求項２０】
前記ロッドおよびシートを長手方向へ移動させる工程時に前記患者支持体に隣接して前記患者ムーバを位置決めする、請求項１７の患者移動方法。
【発明の詳細な説明】
【技術分野】
【０００１】
本出願はHanson他により２００１年９月２０日出願の米国仮特許出願第６０／３２３７３１号の優先権を主張する。その開示は参考としてここに組み込まれる。
【０００２】
本発明は病院用ベッド等患者支持体に使用する装置に関する。更に詳細には、本発明は患者を第一患者支持体から第二患者支持体へ移動させるための装置に関する。
【背景技術】
【０００３】
異なるタイプのテーブル、ベッド、および他の患者支持体が、外科手術時に患者を支持しかつ病院、家庭、養護ホーム等で患者を支持するために、ヘルスケア分野で周知である。近年では、患者支持体は、患者支持体のヘッド、トルソ、および脚セクションの動力関節運動、高さ調節、傾斜調節等の種々の特徴および選択肢を付加することにより、医者および看護婦のために以前よりも有用かつ至便に形成されている。
【０００４】
患者支持体は典型的には６００ポンドの最大重量の患者を支持できる。典型例として、異なる患者支持体が手術、搬送、および休息のために使用される。従って、患者が休息から手術へ移行するときには、患者は休息ベッドから搬送ベッドへ移動し、手術室へ搬送され、搬送ベッドから手術台へ移動しなければならない。重傷患者、特に衰弱した患者は、しばしば、一つのベッドから他のベッドへ、そして介護施設内の一カ所から他所へ自分で移動することが困難である。このような状況下で介護人が患者を移動させることも同様に問題がある。更に、介護人は、それぞれ力が異なる。従って、一人の介護人には移動が容易な患者が他の介護人には移動が困難な場合がある。
【０００５】
【特許文献１】
米国仮特許出願番号第６０／２１８６１２号
【特許文献２】
米国仮特許出願番号第６０／２０３２１４号
【特許文献３】
PCT出願番号PCT/US９８／０７１４０
【発明の開示】
【０００６】
本発明によれば、患者搬送装置は患者休息面を有する患者支持体を移動するために提供される。この患者搬送装置は、患者支持体ムーバ、および患者を患者支持体上の第一位置から患者支持体上の第二位置へ移動させるように構成された患者移動装置を含む。
【０００７】
本発明の一形態によれば、患者支持体ムーバはベース、床上に前記ベースを支持する複数の車輪、前記患者支持体ムーバを前記患者支持体に連結するように構成された取付け装置、および前記患者支持体を床に対して移動する構成の駆動機構を含む。前記患者移動装置は前記患者支持体ムーバにより支持される。
【０００８】
本発明の他の特徴によれば、患者を患者支持体の患者休息面上の第一位置から第二位置へ移動させるように構成された患者搬送装置が提供される。
【０００９】
一形態によれば、前記患者搬送装置はベース、患者を移動させる構成の患者移動装置、および前記ベース上に前記患者移動装置を支持しかつ前記ベースに対する前記患者移動装置の位置を調節可能にするために設置された支持部材を含む。
【００１０】
他の形態によれば、前記患者搬送装置は前記患者支持体のヘッド端に隣接設置される構成のロッドを含む。前記ロッドは前記患者支持体に沿って長手方向に患者を引っ張るように構成されている。
【００１１】
他の形態によれば、患者の下にあるシートに連結されるように構成されたロッド、および患者ムーバを含む患者移動装置が提供される。前記ロッドは第一長さから前記第一長さよりも長い第二長さへ調節自在である。前記患者ムーバは、前記シートおよびその上の患者を第一位置から第二位置へ移動させるために前記ロッドに連結されている。
【００１２】
本発明の他の特徴によれば、一人またはそれ以上の患者を、ヘッド端およびフット端を有しかつヘッド端とフット端間に延在する離隔した第一側および第二側を有する患者支持体上で長手方向に移動させるための方法が提供される。この方法は、患者支持体上に支持された患者の下にあるシートに連結できる構成のロッド、および前記ロッドと結合して前記ロッド、シート、および患者を患者支持体に対して移動させる構成の患者ムーバを用意する工程、患者支持体に対して側方へ伸張するために前記ロッドを前記シートへ連結する工程、および患者を移動させるために前記ロッドおよびシートを前記患者ムーバにより移動する工程を含む。
【００１３】
本発明の一形態によれば、前記方法は、更に、前記シートから前記ロッドの連結を外す工程、患者支持体に対して長手方向へ伸張するために前記ロッドをシートに連結する工程、および患者を移動させるために前記ロッドおよびシートを前記患者ムーバにより側方へ移動する工程を含む。
【００１４】
本発明の他の特徴は本発明を実施するための最良形態を例示する図示形態に関する次の詳細な説明から当業者に理解されるであろう。
【発明を実施するための最良の形態】
【００１５】
図１に示されたように、患者搬送装置１０は、病院ベッド、担架等の患者支持体８を介護施設内の一カ所から他所へ移動させる補助をするように構成されている。更に、患者搬送装置１０は、患者を患者支持体８から他の患者支持体または担架１７８へ移動させるとき（例えば図２および３を参照）、または患者を患者支持体８上で一カ所から他所へ移動させるとき（例えば図４および５参照）に、介護人を補助するように構成される。
【００１６】
患者支持体８は典型例として病気、医療治療の施行、または医療治療の回復時の患者を支持するように構成される。本発明の好適形態によれば、患者支持体８はフレーム１１、フレーム１１に連結されたヘッドボード１３、フレーム１１に連結されたフットボード１５、および患者休息面９を形成するマットレス１７を含む。本発明の他の形態によれば、当分野で当業者に既知の患者支持体の他の形態が提供される。
【００１７】
患者搬送装置１０は、介護施設周辺で患者支持体８を移動させる介護人を補助するために提供される。図６に示されたように、患者搬送装置１０は、患者支持体８を一カ所から他所へ移動するのを補助する構成の患者支持体ムーバ１２、担架または支持部材１４、および患者を一つの患者支持体から他の患者支持体へ移動するかまたは患者支持体上の患者を動かすのを補助する構成の患者移動装置１６を含む。本発明の一形態によれば、患者搬送装置は患者支持体ムーバを伴わない。他の形態によれば、患者搬送装置は患者移動装置および支持部材を装備しない。
【００１８】
患者支持体ムーバ１２は相対的に薄型でありかつベースまたはハウジング５０、床上にハウジング５０を支持する複数の車輪２６、患者支持体８を移動するために動力を提供する駆動機構４６、および患者支持体８に患者搬送装置１０を連結するベッド取付け装置４８を含む。駆動機構４６およびベッド取付け装置４８は実質的にハウジング５０内に位置決めされ、かつ車輪部材２６はハウジング５０から延在する。
【００１９】
駆動機構４６は、介護施設周辺で患者支持体８を移動する補助をするために患者支持体８を前後に移動するように構成される。駆動機構４６は駆動輪５２、駆動輪５２をハウジング５０へ連結する構成のブラケット５４、および駆動モータ（図示せず）を含む。適宜駆動機構例はHanson他による米国仮特許出願番号第６０／２１８６１２号およびHansonによる米国仮特許出願番号第６０／２０３２１４号に記載されており、その開示は参考としてここに組み込まれる。本発明の他の形態によれば、当分野で当業者に既知の他の駆動機構が患者支持体を推進するために使用される。他の形態によれば、駆動機構は患者支持体が側から側へ移動するように構成される。
【００２０】
駆動輪５２は第一および第二側５６，５８および外面６０を含む。第一および第二側５６，５８は円形であり、かつ各々がブラケット５４に延びるシャフトを受ける孔を含む。外面６０は、床上での駆動輪５２の制御力を増すためにゴムまたは他の高摩擦材料により形成されるのが好ましい。
【００２１】
駆動機構４６は駆動輪５２を床と接触させるために下降しかつ接触を絶つために上昇するように構成される。床と接触させるために、図８に示されたように、駆動機構４６はブラケット５４、そして駆動輪５２を下降させる。床と完全に接触すると、介護人は駆動モータを励起させて駆動輪５２を所望方向へ回転させる。駆動モータの機能は、患者移動装置に連結されたキーパッド３４により制御される。駆動輪５２を床と接触させる必要がなくなると、駆動機構４６は図６，７，９および１０に示されたように、駆動輪５２を上昇させる。
【００２２】
ベッド取付け装置４８はハウジング５０を患者支持体８に連結するように構成されて、ハウジング５０の駆動機構４６による運動が患者支持体８へ伝達される。ベッド取付け装置４８はリフト機構（図示せず）、リフト機構による運動のために連結されたリフトリンク７４、リンク７４を上昇させるために連結された圧力プレート７６、および図８に示されたように患者支持体８のフレーム部材９５と接触するために位置決めされたグリップパッド７８を含む。リフトプレート７４はハウジング５０と蝶番式に連結した第一端８２および圧力プレート７６およびグリップパッド７８を支持する第二端８４を有する。リフト機構はリフトプレート７４の第二端８４、圧力プレート７６およびグリップパッド７８を昇降するためにリフトプレート７４上に作用する。好適形態によれば、リフト機構は様々な位置間でリフトプレート７４を移動させるためにリフトプレート７４に連結されたアクチュエータを含む。他の形態によれば、当分野で当業者に既知の他の機構がリフトプレートを移動させるために使用される。他の形態によれば、他の機構が患者支持体に患者搬送装置を連結するために使用される。例えば、他の形態によれば、ラッチ、ロック、クランプ、ピン、ソケットまたは他のカプラが使用される。
【００２３】
フレーム部材９５下に位置決めされかつ上昇したときに、グリップパッド７８は患者支持体８と患者搬送装置１０間に摩擦接触を与える。好適には、グリップパッド７８はゴム材料により形成され、フレーム部材９５上の掴み（grip)を増すために山部９０および谷部９２を交互に含む。本発明の他の形態によれば、グリップパッド７８は、牽引面６８に使用される材料のごとき高摩擦係数を有する他の材料で形成される。
【００２４】
図６に示されたように、ハウジング５０はリフトプレート７４および圧力プレート７６をフレーム部材９５から離れた下降位置へ移動させることのできる寸法のリセス８０を含む。下降位置において、グリップパッド７８の山部９０のみが図９に示されたようにリセス８０から突出する。
【００２５】
作用として、リフトプレート７４はハウジング５０の上面に対して６５°の角度にわたって回転する。下降位置において、リフトプレート７４はハウジング５０の上面と実質的平行になり、かつリフトプレート７４は圧力プレート７６によりリセス８０内に位置決めされる。圧力プレート７６の上昇時に、リフトプレート７４とハウジング５０の上面間の角度は大きくなる。圧力プレート７６とハウジング５０の上面との間の角度が６５°に相当するときに、圧力プレート７６は最高高さになる。
【００２６】
リフトプレート７４の回転時に、圧力プレート７６、そしてグリップパッド７８はグリップパッド７８が患者支持体８のフレーム部材９５と係合するまで上昇する。初期係合後に、リフトプレート７４はグリップパッド７８を連続して上昇させグリップパッド７８を圧力プレート７６とフレーム部材９５間で圧縮する。こ圧縮が患者搬送装置１０と患者支持体８のフレーム部材９５間に付加的『掴み』を与えて、その間のスリップ防止を助け、患者搬送装置１０の如何なる運動をも患者支持体８へ移行させるようにする。この付加的運動が、また、付加的重量を駆動輪５２に与え、駆動輪５２と床間の付加的掴みを可能にする。
【００２７】
グリップパッド７８が患者支持体８と接触するまで上昇した後に、駆動モータが患者支持体８を推進させるために駆動輪５２を所望方向へ回転させる。患者支持体８が所望場所へ運搬された後に、グリップパッド７８は下降して患者搬送装置１０と患者支持体８間にクリアランスを形成する。
【００２８】
このクリアランスは患者搬送装置１０の患者支持体８からの除去、保管場所への設置、または他の患者支持体への使用を可能にする。例えば、図２に示されたように、患者搬送装置１０は、患者を患者支持体８から担架１７８へ移すために、第一患者支持体８に隣接して位置決めされる担架または第二患者支持体１７８に使用するために位置決めされる。
【００２９】
上述のごとく、患者搬送装置１０は、担架１７８への移動等を補助するように構成される。上述のごとく、患者搬送装置１０は、患者を一つの患者支持体から他の患者支持体へ移すのを助ける構成の患者移動装置１６、および患者支持体ムーバ１２上に患者移動装置１６を支持する構成の支脚１４を含む。
【００３０】
患者支持体８から担架１７８への患者移動時に、患者移動装置１６は、患者を載置しているシート１８０を患者支持体８から担架１７８へ引っ張る。
【００３１】
患者を移動する前に、患者移動装置１６はシート１８０に対して正確な配向で位置決めされ、連結ロッド１５２はシート１８０内に包まれ、かつ患者移動装置１６は連結ロッド１５２にフックされる。患者移動装置１６を正確に配向するために、患者移動装置は担架１７８に対して正確な高さで位置決めされなければならない。患者移動装置１６の高さは調節自在であり、患者移動装置１６と広範囲の患者支持体との正確整合を可能にする。例えば、患者が通常よりも低い休息面を有する患者支持体上に位置決めされている場合に、患者移動装置１６の高さは低い患者休息面と整合させるために下降させることができる。ベッドの休息面が通常よりも高い場合には、患者移動装置１６の高さは高い患者休息面に整合させるために上昇させることができる。
【００３２】
支脚１４の構成、および患者支持体ムーバ１２および患者移動装置１６へのその取付けはこの上昇および下降を促進する。支脚１４は下リンク装置９６、上リンク装置９８、および上下リンク装置９８，９６を一緒に枢軸回転自在に連結するリンク装置蝶番１００を含む。ベース蝶番２８は下リンク装置９６を患者支持体ムーバ１２へ枢軸回転自在に連結する。上リンク装置９８は患者移動装置１６に枢軸回転自在に連結されかつそれを支持する。
【００３３】
図８〜１０に示されたように、上下リンク装置９８，９６の枢軸を中心とする回転は患者移動装置１６を上昇および下降させる。上リンク装置９８は患者移動装置１６の支脚アタッチメント１２４に枢軸回転自在に連結された第一端１０２、およびリンク装置蝶番１００の第一部１０５を形成する第二端１０４を含む。下リンク装置９６は上リンク装置９８と同一寸法であり、かつ同様にリンク装置蝶番１００の第二部１０７を形成する第一端１０６および患者支持体ムーバ１２の支脚アタッチメント２４に枢軸回転自在に連結された第二端１０８を含む。リンク装置蝶番１００は上下リンク装置９８，９６により形成された第一および第二部１０５，１０７、第一および第二部１０５，１０７を一緒に枢軸回転自在に連結する軸１１４、および上下リンク装置９８，９６の相互に対する望ましくない運動を阻止または防止する位置ホルダ（図示せず）を含む。
【００３４】
軸１１４は上下リンク装置９８，９６の相互に対する回転を可能にする。リンク装置９６，９８がリンク装置角度１１７を回転するときに上下リンク装置９８，９６間の角度は変化する。
【００３５】
蝶番１００の位置ホルダは角度１１７を維持するためにリンク装置９６，９８の相対的位置における望ましくない変化の阻止を助ける。好適には、位置ホルダは蝶番１００に摩擦を与えて、リンク装置９６，９８を回転するためには所定量の力またはトルクがその摩擦を克服するために必要とされるようにする。本発明の他の形態によれば、位置ホルダはキーパッド３４により制御されるモータ（図示せず）であり、動力昇降を可能にする。本発明の他の形態によれば、位置ホルダはロック、ラッチ、バランス蝶番、またはリンク装置の相対的位置を保持するために当業者に既知の他の装置である。
【００３６】
位置ホルダは、使用者により操作されないときにリンク装置蝶番１００、そして上下リンク装置９８，９６を所定位置に保持する作用をし、そのようにして患者移動装置１６を所望レベルに維持する。患者移動装置１６を異なる高さレベルへ移動するために、介護人または他の使用者は位置ホルダに打ち勝つ十分な力を支脚１４または患者移動装置１６に加える。動力形態によれば、キーパッドはリンク装置を相互に対して移動させるモータを制御するために使用される。同様に、支脚アタッチメント２４，１２４は、また、患者支持体ムーバ１２および患者移動装置１６に対してリンク装置９６，９８の所望位置を維持するために位置ホルダ（図示せず）を有する。
【００３７】
リンク装置９６，９８およびリンク装置蝶番１００は、好適には、患者移動装置１６の重量を支持できる軽量材料で形成される。リンク装置９６，９８およびリンク装置蝶番１００は、また、内部に形成された内通路（図示せず）を有する。この通路はキーパッド３４からの配線を患者移動装置１６からリンク装置９６，９８を経て駆動モータおよび患者支持体ムーバ１２まで可能にする寸法である。この配線は患者移動装置１６から患者支持体ムーバ１２にわたるので駆動モータおよびリフトモータのキーパッド３４による制御を可能にする。
【００３８】
本発明の好適形態によれば、リンク装置９６，９８は一対の四棒リンク装置または床に対する患者移動装置の角度維持する他の装置により形成される。例えば、図３〜５に示されたように、患者移動装置１６は床に対して平行に維持される。他の形態によれば、介護人は患者移動装置を床に対して正確な配向になるまで回転させる。
【００３９】
支脚１４の構成は、また、ハウジング５０に対する患者移動装置１６の位置を、患者移動装置１６がハウジング５０の端上方に常時位置決めされるように、維持する。例えば、支脚１４が図８〜１０に示された位置間で折り畳まれるときに、患者移動装置１６は支脚アタッチメント２４上方の位置に維持される。
【００４０】
本発明の他の形態によれば、患者移動装置の昇降を可能にする他の装置が提供される。例えば、一形態によれば、格納式部材が患者移動装置を支持するために設けられる。他の形態によれば、ハサミ機構、他のリンク装置、および当業者に既知の他の昇降装置が設けられる。
【００４１】
上述したように、患者移動装置１６は支脚１４により支持される。患者移動装置１６はハウジング１１８、バンパ１２０、患者ムーバ１２２、移動モータ（図示せず）、および支脚アタッチメント１２４を含む。支脚アタッチメント１２４はハウジング１１８の下に延びかつハウジング１１８を上リンク装置９８の第一端１０２へ枢軸回転自在に連結する。患者移動装置１６に垂直方向に力が加わる時に、リンク装置９６，９８は『崩壊（collapse) 』しかつハウジング１１８との間の角度（以下タワー（tower)角度１２９と言う）を大きくする。
【００４２】
ハウジング１１８は底側１１９、上側１３２、患者支持体係合側１３４、使用者インターフェース側１３６、および対の側端１３８を含む。使用者インターフェース側１３６はキーパッド３４を受ける寸法のキーパッド・リセス１４０、および図６に示されたように、キーパッド３４に連結されたコード１４４を受ける寸法のコード・リセス１４０を含む。キーパッド３４は、患者搬送装置１０を移動または患者を一つの患者支持体８から他の患者支持体へ移動させるときにキーパッド３４が使用者によりリセス１４０から引っ張られるまで、キーパッド・リセス内に位置決め維持される。
【００４３】
コード１４４は電気信号をキーパッド３４から送受信して駆動モータおよび患者移動装置１６の運転を制御する。コード１４４は電気信号を担持できる一つまたは複数のワイヤを封入する電気絶縁シースで構成される。コード１４４はハウジング１１８へ取付けられキーパッドコード孔１４２からハウジング１１８へ侵入している。ハウジング１１８内でキーパッドコード孔１４２の丁度内側にコード収縮器（図示せず）が設置される。コード収縮器は、コード１４４をいかに引っ張るかによって作動し、ハウジング１１８内でコード１４４を収縮し、露出されたコード１４４の長さを維持するか、またはコード１４４をキーパッドコード孔１４２から伸張させる。他の形態によれば、キーパッドまたはコントローラはコードを必要としないリモートコントローラである。
【００４４】
キーパッド３４は複数のボタン１４６、アクチュエータ等を含む。ボタン１４６は駆動輪５２、ブラケット５４、リフトプレート７４、および患者ムーバ１２２の作動を制御する。更に、キーパッド３４はオン／オフ、前進／後退、速度、動力レベル、および装置１０の他の作動情報等の患者搬送装置１０の状態および他の作動情報に関する情報を使用者に提供するディスプレイを含む。
【００４５】
患者ムーバ１２２はシート１８０に包まれた連結ロッド１５２にフックするように構成される。図２および３に示されたように、連結ロッド１５２へ一旦フックすると、患者ムーバ１２２は連結ロッド１５２、シート１８０、およびシート１８０上の患者を担架１７８上へ引っ張る。
【００４６】
各患者ムーバ１２２はシート１８０および連結ロッド１５２上へフックするフック部１４８、およびハウジング１１８からフック部１４８へ延びた延長ストラップまたは延長部１５０を含む。フック部１４８は好適には硬質プラスチック、金属、または他の非降伏材料により形成される。フック部１４８は、センタポール１５４の一部に適合する弧状フックを上に有するように成形される。延長部１５０は好適には厚い織布または高い引っ張り強度および可撓性を有する他の材料で形成される。
【００４７】
連結ロッド１５２は患者ムーバ１２２の引っ張り力をシート１８０へ伝達しかつ患者ムーバ１２２の連結ロッドへのフックを促進するように構成される。連結ロッド１５２は、図１１に示されたように、ベースまたはセンタポール１５４、および二つの伸張ポール１５６を含む。センタポール１５４は第一周辺形状１６０を有する複数の第一セクション１５８、および第一セクションの外形１６０よりも小さくかつ患者ムーバ１２２のフック部１４８を受ける寸法の第二周辺形状１６４を有する複数の第二セクション１６２を含む。センタポール１５４は、更に、図１２に示されたように、伸張ポール１５６の一部を受けかつ伸張ポール１５６の伸張および収縮を可能にする寸法の通路１６６を内部に有する。
【００４８】
伸張ポール１５６は第一周辺形状１６０を有するヘッド部１７０および第四周辺形状１７４を有する挿入部１７２を含む。図１１に示されたように、周辺形状１６０、１６４、１６８、１７４は全て異なる寸法の概ね楕円形である。本発明の他の形態によれば、円形、四辺形、三角形、または非均一形状等の他の外形が使用される。
【００４９】
第二セクション１６２の第二周辺形状１６４は第一周辺形状１６０よりも小さく、患者ムーバ１２２のフック部１４８をスナップ式に受ける。第二セクション１６２は、患者ムーバ１２２のフック部１４８の曲率の内部にフイットする寸法である。第二セクション１６２の楕円形性は、フック部１４８が連結ロッド１５２と係合して引っ張るときに、連結ロッド１５２のセンタポール１５４が患者ムーバ１２２のフック部１４８に対して回転するのを阻止する。
【００５０】
通路１６６は伸張ポール１５６の挿入部１７２を受けかつ伸張ポール１５６のそこへの摺動を可能にする寸法であり、そのようにして連結ロッド１５２は調節可能長を有する。そのようにして、伸張ポール１５６は、異なる量の挿入部１７２が通路１６６内に位置決めされるように位置決めでき、それにより連結ロッド１５２を複数の長さに調整できる。通路１６６は、また、使用者により作用するときに、挿入部１７２が通路１６６内で摺動しても、使用者が操作しないかまたは他の力が加わらないときには所定位置に摩擦により保持されるような寸法である。通路１６６および挿入部１７２の楕円形性は、また、挿入部１７２が通路内で回転するのを阻止し、それによりヘッド部１７０をセンタポール１５４に整合維持する。
【００５１】
フック部１４８が連結ロッド１５２上に位置決めされる前には、連結ロッド１５２はシート１８０内に包まれている。患者が適宜シート１８０上に位置していない場合には、シート１８０が患者支持体８の他の半分上に位置するように患者は一側へ転がされる。次に、患者はシート１８０の一部により患者支持体８の他の半分上に転がされそこに位置決めされる。次に、患者は患者支持体８の中央へ戻される。患者がシート１８０上の中心に置かれた後に、シート１８０の長手端の一端が連結ロッド１５２上に数回巻き付けられて連結ロッド１５２とシート１８０間に固定結合される。
【００５２】
患者を移動させるために、フック部１４８は巻き付けられたシート１８０および連結ロッド１５２上にフックされる。次に、延長ストラップ１５０が伝導モータによりハウジング１１８へ収縮される。この収縮は好適にはキーパッド３４により制御される。ストラップ１５０の収縮は、図３に示されたように、連結ロッド１５２、シート１８０、およびシート上の患者を患者移動装置１６に向けて引っ張る。適宜患者移動装置の内外構成要素の更なる説明はErgodyne Corporation によるPatient Transfer Systemの名称のPCT出願番号PCT/US９８／０７１４０にあり、その開示は参考としてここに組み込まれる。
【００５３】
好適には、患者が担架１７８上で中央にいるときには、ストラップ１５０の収縮を停止する。フック部１４８は連結ロッド１５２から外され、かつシート１８０は連結ロッド１５２から巻き戻される。必要に応じて、グリップパッド７６を上昇させて担架１７８のフレーム部材９５’に係合させ、かつ駆動機構４６を使用して担架１７８を介護施設周辺へ運搬する。患者搬送装置１０は他の患者支持体に使用するためまたは貯蔵のために担架１７８から外される。
【００５４】
ハウジング１１８は一対の差込み口１３５を含み、差込み口１３５はハウジング１１８に対して延長ストラップ１５０を出し入れする。
【００５５】
バンパ１２０が患者移動時に担架１７８または他の患者支持体と係合する追従面を提供するために設けられる。患者搬送装置１０は担架１７８に隣接して位置決めされるときに、バンパ１２０は担架１７８の側縁と接触する。患者ムーバ１２２が延長ストラップ１５０を引っ込めるときに、バンパ１２０はハウジング１１８と担架１７８間で僅かに圧縮されて反動力を生じ、これに対して患者ムーバ１２２は引っ込む。これは、患者移動時に担架１７８または他の患者支持体８と係合するときに、患者移動装置１６を望ましくない圧力点から保護するのに役立つ。
【００５６】
好適には、バンパ１２０は１／２シリンダであり、円形側がハウジング１１８の患者支持体係合側から遠い方に位置決めされる。バンパ１２０は延長ストラップ１５０を伸張させるのに十分な長さで患者ムーバ差込み口１３５の下に位置決めされる。
【００５７】
患者搬送装置１０の好適作用によれば、二つの異なる作用が患者移動装置１６を使用して達成できる。上述のごとく、患者移動装置１６は、患者を患者支持体８のような一つの患者支持体を、担架１７８のような他の患者支持体へ移動させるために使用できる。移動等の後に、患者搬送装置１０は担架１７８を介護施設内の他の場所へ移動するのを補助するために使用できる。
【００５８】
患者移動装置１６は、また、次に更に詳細に説明するように、患者支持体上の患者の位置を再位置決めまたは変更するために使用できる。移動操作の第一工程は、上述のごとくシート１８０上に患者を位置決めする。次に第二患者支持体１７８を第一患者支持体１７６の傍に設置する。第二患者支持体１７８は好適には第一患者支持体１７６と同一高さであるか、または一つもしくは二つの患者支持体１７６，１７８は高さ調節可能でありかつ同一高さに調整される。次に、患者搬送装置１０を第一患者支持体１７６に対峙する第二患者支持体１７８の傍に設置して、バンパ１２０が第二患者支持体１７８と係合するようにする。そのように患者搬送装置１０を設置することによって、患者支持体ムーバ１２の駆動セクションを第二患者支持体１７８の下に位置決めすることが必要になる。患者移動装置１６の高さを上述のごとく調節して、患者移動装置１６のハウジング１１８の患者ムーバ差込み口１３５を第二患者支持体１７８の上側１８２のレベルにする。
【００５９】
連結ロッド１５２の長さを、センタポール１５４内で伸張ポール１５６を伸張または引っ込ませることにより、シート１８０の長さが患者にフイットするように調節する。次に、連結ロッド１５２を第二患者支持体１７８に接近するようにシート１８０の端へ巻き付ける。次に、連結ロッド１５２をシート１８０に巻き付け、シート１８０が連結ロッド１５２を囲繞するようにする。シート１８０は、好適には連結ロッド１５２の周囲を複数回巻回させるが、状況によってはシート１８０は一層を巻回するだけで十分である。
【００６０】
患者ムーバ１２２はハウジング１１８から延び、かつ患者ムーバ１２２のフック部１４８は周囲のシート１８０上で連結ロッド１５２の第二セクション１６２へ取付けられる。フック部１４８は、図２に示されたように、シート１８０の一部を連結ロッド１５２の第二セクション１６２へ向けて下方へ引っ張りかつ連結ロッド１５２の第二セクション１６２とフック部１４８との間にシート１８０のその部分を係止する。
【００６１】
そこで、介護人はキーパッド３４上のボタンを押して患者ムーバ１２２の延長ストラップ１５０をハウジング１１８へ引っ込ませる。延長ストラップ１５０が収縮することにより、フック部１４８、取付けられた連結ロッド１５２、シート１８０、および患者は、図３に示されたように、ハウジング１１８へ向けて移動する。患者が第二患者支持体１７８上に完全に位置決めされると、介護人は第二ボタンを押すか、または押したボタンを離してストラップ１５０の収縮を停止させる。次に、介護人は患者ムーバ１２２を連結ロッド１５２から取り外し、かつ連結ロッド１５２をシート１８０の中から除去し、かつシート１８０を必要に応じて取り外す。
【００６２】
患者を介護施設内の一カ所から他所へ搬送するために、患者搬送装置１０を担架１７８へ連結する。あるいは、患者搬送装置１０を貯蔵庫に設置する。搬送機能時に、支脚１４は上昇位置に維持されるが、たいていの場合、図１に示されたように、下位置に設置される。ヘルスケア提供者はコード１４４を延ばしてキーパッド３４を外すことにより、ハウジング１１８から所定間隔、例えば担架１７８のヘッド端またはフット端から一定間隔をおいて患者搬送装置１０を操作することができる。
【００６３】
次に、介護人はキーパッド３４上のボタンを押して圧力プレート７６およびグリップパッド７８を上昇させる。圧力プレート７６はグリップパッド７８が担架１７８のフレーム部材９５’または他の部分と係合するまで上昇させる。グリップパッド７８が担架１７８のフレーム部材９５’と係合すると、更に圧力が加わって患者搬送装置１０と担架１７８間を連結させる。
【００６４】
患者搬送装置１０と第二患者支持体１７８とがグリップパッド７８を介して結合されると、介護人はキーパッド３４を使用して駆動輪５２を床に係合させる。下方圧力が駆動輪５２に十分に加わると、静摩擦面６８は床上の高い摩擦係数を利用してスリップを防止する。次に、キーパッド３４を使用して、駆動機構４６を係合して患者搬送装置１０および担架１７８を所望場所へ移動する。更に、患者搬送装置１０を取り外して貯蔵するか、または患者搬送装置を移動させ、患者を移送しまたは再位置決めするために他の患者支持体に使用する。
【００６５】
上述のごとく、患者搬送装置１０は、また、患者支持体８上で患者を再位置決めするために使用できる。様々な理由から、患者は望ましくない位置で休息することがあり、かつ患者は自分の位置を自分の力で移動させることがでない。例えば、ある患者支持体は起立位置とベッド位置間を移動する関節式デッキを装備する。関節運動時に、かかるベッド上の患者はベッドのフット端方向へ移動しやすい。ある患者はベッドのヘッド端方向へ自分で移動するだけの力を持たない。従って、そのような患者は患者支持体上で自分を適正位置へ再位置決めするために補助を必要とする。
【００６６】
多くの介護人はかかる患者を適正に再位置決めするために必要な強力を持たない。従って、かかる介護人は、患者を再位置決めするための補助として、必要に応じて、患者移動装置を使用することができる。
【００６７】
患者を患者支持体８上に再位置決めするために、シート１８０は上述のごとく患者の下に設置される。次に、患者搬送装置１０が、図１１に示されたように、患者支持体８のヘッド端またはフット端に位置決めされる。必要であれば、ヘッドボード１２が患者支持体８から除去される。または、ストラップ１５０がヘッドボードの下またはヘッドボードを介して供給される。
【００６８】
患者移動装置１６の高さは、患者移動装置１６のハウジング１１８の患者ムーバ差込み口１３５が患者支持体８の上側１８２のレベルになるように、上述のごとく調節される。患者搬送装置１０は患者支持体８のヘッド端に隣接して設置され、バンパ１２０が患者支持体８と係合し、かつ患者支持体ムーバ１２が患者支持体８の下に位置決めされるようにする。
【００６９】
そこで、連結ロッド１５２の長さが、センタポール１５４内の伸張ポール１５６を伸張または収縮させることによってシート１８０の幅に適合するように調整される。連結ロッド１５２の長さを短縮することによって、患者支持体の上昇サイドレール（図示せず）間に適合させることができる。更に、患者支持体８またはマットレスの幅よりも連結ロッド１５２の長さを短かくすることによって、連結ロッド１５２は、医療装置、他のベッド構成要素、部屋の壁等患者支持体８に隣接する位置にある他の装置、または連結ロッド１５２がもっと長い場合には抵触するであろう他の物体との抵触を回避する。本発明の他の形態によれば、他の調節自在長を有する連結ロッドが使用される。例えば、他の格納式部材、または当業者に既知の他の調整自在長さ形態を使用できる。
【００７０】
次に、連結ロッド１５２は、上述と同様方法で患者移動装置１６に近接のシート１８０の上縁へ回動される。患者ムーバ１２２がハウジング１１８から伸張し、かつ患者ムーバ１２２のフック部１４８が周囲のシート１８０上で連結ロッド１５２の第二セクション１６２へ取付けられる。フック部１４８がシート１８０の一部を連結ロッド１５２の第二セクション１６２へ引っ張り、かつ図４に示されたように、連結ロッド１５２の第二セクション１６２とフック部１４８との間にシート１８０のその部分を係止する。
【００７１】
そこで、介護人はキーパッド３４上の適宜ボタンを押して患者ムーバ１２２の延長ストラップ１５０をハウジング１１８へ引き込む。ストラップ１５０をハウジング１１８へ引き込むことにより、フック部１４８、取付けられた連結ロッド１５２、シート１８０、および患者は、図５に示されたように、ハウジング１１８へ向かって移動する。患者が適正位置に付くと、介護人は第二ボタンを押すか、または押したボタンを解放して患者ムーバ１２２の引っ込み、即ち、収縮を停止させる。ヘルスケア提供者は、連結ロッド１５２から患者ムーバ１２２を取り外し、かつ連結ロッド１５２をシート１８０内から除去する。本発明の他の形態によれば、駆動機構は、患者搬送装置がベッドのヘッド端またはフット端に位置決めされるときに、患者搬送装置により患者支持体が移動するように、配置される。
【００７２】
本発明は好適形態を参照して詳細に説明されたが、特許請求の範囲に記載の本発明の範囲および精神内で変更および改変が可能である。
【図面の簡単な説明】
【００７３】
【図１】介護施設内の一カ所から他所へ移動するために患者支持体下に位置する患者搬送装置を示す、一部を切り取った患者支持体、および患者搬送装置の斜視図である。
【図２】患者を患者支持体から担架へ移すために担架に隣接して位置決めされた患者搬送装置により患者支持体に隣接して位置決めされた担架を示す斜視図である。
【図３】患者を患者支持体から担架へ引っ張る患者搬送装置を示す図２に同様の図である。
【図４】患者を患者支持体のヘッド端へ引っ張るために患者支持体のヘッド端に隣接して位置決めされた患者搬送装置を示す斜視図である。
【図５】ベッドのヘッド端へ引っ張った患者を示す図４と同様の図である。
【図６】ベース、床上にベースを支持する車輪、ベースに連結されたベッド取付け装置、およびベースを移動させる駆動輪、および患者支持ムーバにより支持された支脚、および支脚により支持された患者移動装置を含む患者搬送装置を示す斜視図である。
【図７】低位置の担架を示す図６と同様の図である。
【図８】患者支持体のフレーム部材（仮想線）と係合したベッド取付け装置を示す図６の患者搬送装置の側面図である。
【図９】中間位置の担架を示す図８と同様の図である。
【図１０】完全上昇位置の担架を示す図８と同様の図である。
【図１１】ベースポールおよび一対の格納式伸張ポールを含む伸張自在ポールを示す図６の患者移動装置のフック部に係合する伸張自在ポールの斜視図である。
【図１２】格納式伸張ポールのベースポールに受けた部分を示す図１１の伸張自在ポールの側面図である。
【国際公開パンフレット】
2005502433.tif 000003
2005502433.tif 000004
2005502433.tif 000005
2005502433.tif 000006
2005502433.tif 000007
2005502433.tif 000008
2005502433.tif 000009
2005502433.tif 000010
2005502433.tif 000011
2005502433.tif 000012
2005502433.tif 000013
2005502433.tif 000014
2005502433.tif 000015
2005502433.tif 000016
2005502433.tif 000017
2005502433.tif 000018
2005502433.tif 000019
2005502433.tif 000020
2005502433.tif 000021
2005502433.tif 000022
2005502433.tif 000023
2005502433.tif 000024
2005502433.tif 000025
2005502433.tif 000026
2005502433.tif 000027
2005502433.tif 000028
2005502433.tif 000029
2005502433.tif 000030
2005502433.tif 000031
2005502433.tif 000032
2005502433.tif 000033
2005502433.tif 000034
2005502433.tif 000035
2005502433.tif 000036
【国際調査報告】
2005502433.tif 000037
2005502433.tif 000038
2005502433.tif 000039
2005502433.tif 000040
2005502433.tif 000041